(57)【要約】【課題】  異なる大きさの積載物を搬送可能な搬送パレットを提供する。【解決手段】  基板１と、主支持台２と、副支持台３と、押さえ具４とを備え、主支持台２は、基板１上に設けてあって、積載物を載置するものであり、副支持台３は、主支持台２よりも大きく、主支持台２を囲み、上側から主支持台２を覆うもので、基板１上に着脱自在であって、積載物を載置するものであり、押さえ具４は、副支持台３の取外時には主支持台２の側面に取り付け、副支持台３の取付時には副支持台３の側面に取り付けるもので、積載物を水平方向から支持するものである。【選択図】      図１
2012197114.tif 000002
【特許請求の範囲】
【請求項１】
基板と、主支持台と、副支持台と、押さえ具とを備え、主支持台は、基板上に設けてあって、積載物を載置するものであり、副支持台は、主支持台よりも大きく、主支持台を囲むもので、高さが主支持台の高さ以上であり、基板上に着脱自在であって、積載物を載置するものであり、押さえ具は、副支持台の取外時には主支持台の周囲に取り付け、副支持台の取付時には副支持台の周囲に取り付けるもので、積載物を水平方向から支持するものであることを特徴とする搬送パレット。
【請求項２】
押さえ具は、副支持台の取外時には主支持台の側面に取り付け、副支持台の取付時には副支持台の側面に取り付けるものであることを特徴とする請求項１記載の搬送パレット。
【請求項３】
副支持台が上側から主支持台を覆うものであることを特徴とする請求項１又は２記載の搬送パレット。
【請求項４】
基板上に柱を設けてあって、柱の上に他の基板を段積み可能であり、段積み時において、上側の基板の下面が、下側の基板上の副支持台の周囲に取り付けた押さえ具の上端よりも高いことを特徴とする請求項１、２又は３記載の搬送パレット。
【発明の詳細な説明】
【技術分野】
【０００１】
本発明は、パネルなどの積載物を搬送するための搬送パレットに関する。
【背景技術】
【０００２】
従来、パネルを搬送するための搬送パレットとして、図８に示すように、基板１０１と、押さえ具１０４とを備えるものがあり、これは、基板１０１にパネルＰを載置し、基板１０１をフォークリフトなどの搬送装置で把持するなどして搬送するものであった。基板１０１は、パネルＰと略同じ大きさで、周囲に押さえ具１０４を取り付けてパネルＰが動かないように固定していた。また、特許文献１に記載の搬送パレットのように、基板（台座）上に、パネルを載置する支持台（板状体載置部材）を備え、支持台の周囲に押さえ具（移動制限部材）を取り付けてあるものもあった。このような搬送パレットにおいて、異なるサイズのパネルを搬送するには、パネルの大きさに合わせた専用のパレットを製作するしかなかった。
【先行技術文献】
【特許文献】
【０００３】
【特許文献１】実用新案登録第３１６５９７３号公報
【発明の概要】
【発明が解決しようとする課題】
【０００４】
しかしながら、パネルの大きさごとに専用のパレットを用意する場合、費用が高くなることや、保管のために広い空間を占有することが問題であった。
【０００５】
本発明は、上記事情を鑑みたものであり、異なる大きさの積載物を搬送可能な搬送パレットを提供することを目的とする。
【課題を解決するための手段】
【０００６】
本発明のうち請求項１の発明は、基板と、主支持台と、副支持台と、押さえ具とを備え、主支持台は、基板上に設けてあって、積載物を載置するものであり、副支持台は、主支持台よりも大きく、主支持台を囲むもので、高さが主支持台の高さ以上であり、基板上に着脱自在であって、積載物を載置するものであり、押さえ具は、副支持台の取外時には主支持台の周囲に取り付け、副支持台の取付時には副支持台の周囲に取り付けるもので、積載物を水平方向から支持するものであることを特徴とする。なお、押さえ具を主支持台又は副支持台の周囲に取り付ける、とは、主支持台又は副支持台の周縁部に取り付ける場合と、主支持台又は副支持台の周辺の基板上に取り付ける場合の両方を含む。
【０００７】
本発明のうち請求項２の発明は、押さえ具は、副支持台の取外時には主支持台の側面に取り付け、副支持台の取付時には副支持台の側面に取り付けるものであることを特徴とする。
【０００８】
本発明のうち請求項３の発明は、副支持台が上側から主支持台を覆うものであることを特徴とする。
【０００９】
本発明のうち請求項４の発明は、基板上に柱を設けてあって、柱の上に他の基板を段積み可能であり、段積み時において、上側の基板の下面が、下側の基板上の副支持台の周囲に取り付けた押さえ具の上端よりも高いことを特徴とする。
【発明の効果】
【００１０】
本発明のうち請求項１の発明によれば、主支持台の周囲に押さえ具を取り付けて使用する場合（小さいパネルに対応）と、主支持台を囲む副支持台を取り付け、副支持台の周囲に押さえ具を取り付けて使用する場合（大きいパネルに対応）とで、大きさの異なるパネルに対応することができる。一枚の基板を共通して使用するから、費用が抑えられ、また保管場所も広い空間が必要ない。
【００１１】
本発明のうち請求項２の発明によれば、押さえ具の固定箇所が、押さえ具に対してパネルの荷重がかかる箇所に近くなるので、より強固な構造となる。また、押さえ具を副支持台に取り付けることにより、副支持台を基板と略同じ大きさにまで拡大できる。
【００１２】
本発明のうち請求項３の発明によれば、副支持台は主支持台を覆って取り付けるものであって、上面を面一に形成できるから、その上にパネルを載置した際に、パネルを損傷することがない。
【００１３】
本発明のうち請求項４の発明によれば、副支持台を使用した状態で、複数枚の基板を段積みすることができる。なお、主支持台の高さは副支持台の高さ以下なので、副支持台の使用時に段積み可能であれば、当然に主支持台の使用時にも段積み可能である。
【図面の簡単な説明】
【００１４】
【図１】本発明の搬送パレットの第一実施形態の斜視図であり、（ａ）は主支持台を使用する場合、（ｂ）は副支持台を使用する場合を示す。
【図２】（ａ）は搬送パレットの平面図、（ｂ）は主支持台を使用する場合の側面図、（ｃ）は副支持台を使用する場合であって基板を段積みした場合の側面図である。
【図３】押さえ具の取付部分を説明するものであり、（ａ）は斜視図、（ｂ）は断面図である。
【図４】本発明の搬送パレットの第二実施形態の斜視図であり、（ａ）は主支持台を使用する場合、（ｂ）は副支持台を使用する場合を示す。
【図５】本発明の搬送パレットの第三実施形態の斜視図であり、（ａ）は主支持台を使用する場合、（ｂ）は副支持台を使用する場合を示す。
【図６】第三実施形態の押さえ具の取付部分の斜視図である。
【図７】本発明の搬送パレットの第四実施形態の側面図であり、（ａ）は主支持台を使用する場合、（ｂ）は内側副支持台を使用する場合、（ｃ）は外側副支持台を使用する場合を示す。
【図８】従来の搬送パレットの斜視図である。
【発明を実施するための形態】
【００１５】
以下、本発明の実施の形態を図面に基づいて説明する。本発明の搬送パレットは、種々の積載物を搬送可能であるが、ここでは薄肉のガラスパネルを積み重ねて搬送する場合を想定する。この搬送パレットの第一実施形態は、図１及び図２に示すように、基板１と、主支持台２と、副支持台３と、押さえ具４とを備える。基板１は、矩形平板状のもので、上面の四隅には段積みするための柱１１を有し、側面にはフォークリフトなどのフォークを挿入するためのフォーク用孔１２を有する。主支持台２は、矩形平板状で、搬送するパネルＰ１と略同じ大きさであって、基板１よりも小さく、基板１の上面中央に着脱不能に固定されている。そして主支持台２はその上面にパネルＰ１を載置するものであり、上面は面一に形成されている。副支持台３は、矩形平板状で、搬送するパネルＰ２（パネルＰ１より大きい）と略同じ大きさであって、中央に矩形の挿入孔３１を形成してあり、上面には挿入孔３１を覆って表面材３２が取り付けてあって、面一となっている。ここで、副支持台３は主支持台２よりも高さが高く、また挿入孔３１は主支持台２よりも大きく形成してあるので、副支持台３を主支持台２の上から基板１に載置すると、主支持台２が挿入孔３１に納まって、副支持台３により主支持台２が覆われる。そして副支持台３の周囲には略Ｌ字形のブラケット３３を取り付けてあり（各辺に四つずつ）、このブラケット３３を基板１にネジ止めして固定できる。押さえ具４は、略平板状のもので、主支持台２の側面と副支持台３の側面の何れにも取り付けることができる。何れの場合においても、各辺に二枚ずつ、計八枚が取り付けてあり、側面から上向きに延びていて、パネルを水平方向から支持する。なお、基板１上に設けた柱１１は、基板１に副支持台３を取り付け、この副支持台３に押さえ具４を取り付けた場合の押さえ具４よりも高くなっている（図２（ｃ））。
【００１６】
次に、押さえ具４の取付部分について詳述する。図３に示すように、押さえ具４は、略平板状で、上向きに延びる押さえ片４１と、押さえ片４１の下端から内側に延びる略Ｌ字形の爪部４２と、押さえ片４１の下端から下向きに延びる垂下片４３とを有する。一方、主支持台２の側面上方には、長手方向に沿って係合溝２１が形成してあり、押さえ具４の爪部４２が係合可能となっている。さらに側面下方には、長手方向に沿って取付溝２２が形成してあり、ストッパ２３が摺動自在に取り付けてあって、ストッパ２３は上向きに延びる係止片２４を有している。押さえ具４を主支持台２に取り付ける際には、押さえ具４の爪部４２を係合溝２１に係合させ、垂下片４３を主支持台２の側面に当接させ、ストッパ２３を摺動させて垂下片４３を主支持台２の側面と係止片２４とで挟み込めば固定できるので、取り付けは容易である。そして、ストッパ２３を摺動させて係止片２４を垂下片４３から離脱させれば、容易に取り外すことができる。なお、副支持台３の側面も、主支持台２の側面と同じ構造であり、同じように押さえ具４の取り付け及び取り外しが可能である。
【００１７】
次に、このように構成した搬送パレットの使用方法を説明する。この搬送パレットによって小さなパネルＰ１を搬送する場合、図１（ａ）に示すように、主支持台２の側面に押さえ具４を取り付けて使用する。パネルＰ１は主支持台２の上面に載置されるが、主支持台２の上面は面一であるからパネルＰ１が損傷することはない。そしてパネルＰ１は押さえ具４により周囲から押さえられて搬送される。一方、この搬送パレットによって大きなパネルＰ２を搬送する場合、図１（ｂ）に示すように、押さえ具４を主支持台２から取り外し、副支持台３を主支持台２の上から基板１に載置して主支持台２を覆い、副支持台３の側面に押さえ具４を取り付けて使用する。パネルＰ２は副支持台３の上面に載置されるが、副支持台３の上面は面一であるからパネルＰ２が損傷することはない。そしてパネルＰ２は押さえ具４により周囲から押さえられて搬送される。
【００１８】
また、この搬送パレットは、基板１上の四隅に設けた柱１１の上に、他の基板１を段積みできる。図２（ｃ）に示すように、柱１１は副支持台３に取り付けた押さえ具４よりも高くなっているので、副支持台３にパネルＰ２を載置した状態で、複数枚の基板１を段積みすることができる。なお、主支持台２は副支持台３に覆われるものであって、主支持台２は副支持台３よりも低く、主支持台２に取り付けた押さえ具４の上端も副支持台３に取り付けた押さえ具４の上端よりも高くなることはないので、副支持台３の使用時に段積み可能であれば、当然に主支持台２の使用時にも段積み可能である。
【００１９】
このように、本発明の搬送パレットの第一実施形態によれば、主支持台に押さえ具を取り付けて使用する場合（小さいパネルに対応）と、主支持台の上から副支持台を取り付け、副支持台に押さえ具を取り付けて使用する場合（大きいパネルに対応）とで、大きさの異なるパネルに対応することができる。一枚の基板を共通して使用するから、費用が抑えられ、また保管場所も広い空間が必要ない。そして、主支持台は上面が面一に形成してあり、また副支持台は主支持台を覆って取り付けるものであって、同じく上面を面一に形成してあるから、何れにパネルを載置した際にもパネルを損傷することがない。さらに、押さえ具はストッパを摺動させるだけで容易に取り付け及び取り外しができるので、主支持台を使用する場合と副支持台を使用する場合の切り替えも容易である。また、押さえ具の固定箇所（押さえ具の下部）が、押さえ具に対してパネルの荷重がかかる箇所（押さえ具の上部）に近くなるので、より強固な構造となる。さらに、副支持台の取付時において押さえ具を副支持台に取り付けるので、副支持台を基板と略同じ大きさにまで拡大できる。また、主支持台又は副支持台を使用した状態で、複数枚の基板を段積みすることができる。
【００２０】
また、図４に、本発明の搬送パレットの第二実施形態を示す。第二実施形態は、副支持台３の構成が第一実施形態とは異なっており、表面材を有しておらず、挿入孔３１が露出した状態となっている。その他、基板１、主支持台２や押さえ具４の構成は第一実施形態と同じであり、小さなパネルＰ１を搬送する場合は、図４（ａ）に示すように、パネルＰ１は主支持台２の上面に載置される。そして大きなパネルＰ２を搬送する場合は、図４（ｂ）に示すように、副支持台３を、主支持台２を囲むようにして基板１に載置する。主支持台２は副支持台３の挿入孔３１に納まり、主支持台２の上面と副支持台３の上面が同じ高さとなって、主支持台２の面積が副支持台３により拡大される。主支持台２と副支持台３の間にはある程度の段差や隙間が生じ得るが、載置するパネルＰ２がその程度の段差や隙間により損傷するようなものでない場合には、この第二実施形態を利用できる。このように、第二実施形態でも大きさの異なるパネルに対応することができ、一枚の基板を共通して使用するから、費用が抑えられ、また保管場所も広い空間が必要ない。
【００２１】
さらに、図５及び図６に、本発明の搬送パレットの第三実施形態を示す。第三実施形態は、押さえ具４の構成が第一及び第二実施形態とは異なっており、副支持台３の取外時及び取付時の何れにおいても、押さえ具４を基板１の上面に固定する。よって、副支持台３が基板１より小さいものであって、副支持台３を取り付けた状態で基板１上に押さえ具４を取り付けるスペースの余裕があることが前提となる。押さえ具４は、略平板状で上向きに延びる押さえ片４１と、押さえ片４１の下端から内側に延び途中で屈曲して下向きに延びる当接片４４と、当接片４４の下端から外側に延びる接地片４５とを備え、当接片４４及び接地片４５に接合するリブ４６を設けて補強してある。そして接地片４５にはボルト４７を通すための通し孔４８を形成してあり、基板１には、副支持台３の取外時に対応した箇所に内側ボルト孔１３ａを、副支持台３の取付時に対応した箇所に外側ボルト孔１３ｂを形成してあって、ボルト４７を通し孔４８に通して内側ボルト孔１３ａ又は外側ボルト孔１３ｂに螺合することで、押さえ具４を基板１に固定する。その他、基板１、主支持台２や副支持台３の構成は第一実施形態と同じであり、小さなパネルＰ１を搬送する場合は、図５（ａ）に示すように、主支持台２に当接片４４を当接させて押さえ具４を取り付け、パネルＰ１を主支持台２の上面に載置する。そして大きなパネルＰ２を搬送する場合は、図５（ｂ）に示すように、押さえ具４を基板１から取り外し、副支持台３を主支持台２の上から基板１に載置して主支持台２を覆い、副支持台３に当接片４４を当接させて押さえ具４を取り付け、パネルＰ２を副支持台３の上面に載置する。なお、押さえ具４の固定方法はボルト止めに限られず、たとえば、押さえ具４と基板１の一方に凹部を、他方に凸部を形成して、嵌め込むようにしてもよい。
【００２２】
また、図７に、本発明の搬送パレットの第四実施形態を示す。第四実施形態は、主支持台２及び副支持台３の大きさが第一実施形態とは異なっており、さらに副支持台３については、図７（ａ）に示すように、大きさの異なるものを二つ備えている（内側副支持台３ａ及び外側副支持台３ｂ）。その他、基板１や押さえ具４の構成は第一実施形態と同じである。主支持台２は、矩形平板状で、搬送するパネルＰ１と略同じ大きさであって、基板１よりも小さく、基板１の上面中央に着脱不能に固定されている。次に内側副支持台３ａは、矩形平板状で、搬送するパネルＰ２（パネルＰ１より大きい）と略同じ大きさであって、中央に矩形の挿入孔３１ａを形成してあり、上面には挿入孔３１ａを覆って表面材３２ａが取り付けてあって、面一となっている。ここで、内側副支持台３ａは主支持台２よりも高さが高く、また挿入孔３１ａは主支持台２よりも大きく形成してあるので、図７（ｂ）に示すように、内側副支持台３ａを主支持台２の上から基板１に載置すると、主支持台２が挿入孔３１ａに納まって、内側副支持台３ａにより主支持台２が覆われる。そして内側副支持台３ａの周囲には略Ｌ字形のブラケット３３ａを取り付けてあり、このブラケット３３ａを基板１にネジ止めして固定できる。さらに外側副支持台３ｂは、矩形平板状で、搬送するパネルＰ３（パネルＰ２より大きい）と略同じ大きさであって、中央に矩形の挿入孔３１ｂを形成してあり、上面には挿入孔３１ｂを覆って表面材３２ｂが取り付けてあって、面一となっている。ここで、外側副支持台３ｂは内側副支持台３ａよりも高さが高く、また挿入孔３１ｂは内側副支持台３ａよりも大きく形成してあるので、図７（ｃ）に示すように、外側副支持台３ｂを内側副支持台３ａの上から基板１に載置すると、内側副支持台３ａが挿入孔３１ｂに納まって、外側副支持台３ｂにより内側副支持台３ａが覆われる。そして外側副支持台３ｂの周囲には略Ｌ字形のブラケット３３ｂを取り付けてあり、このブラケット３３ｂを基板１にネジ止めして固定できる。このように構成することで、三種類の大きさのパネルに対応することができる。また、外側副支持台３ｂに、主支持台２及び内側副支持台３ａが入れ子式に納まるので、保管場所も広い空間が必要ない。なお、外側副支持台３ｂの使用時に、必ずしも内側副支持台３ａが挿入孔３１ｂ内に納められていなくてもよい。また、副支持台を三つ以上備えていてもよい。
【００２３】
本発明は、上記の実施形態に限定されない。たとえば、主支持台及び副支持台は、矩形のものに限られず、どのような形状であってもよい。また、押さえ具は平板状のもののほか、棒状のものなどであってもよく、個数も適宜増減できる。さらに、搬送パレットを使用状態で段積みするために、柱を押さえ具より高くするのではなく、基板の下面に凹部を形成して押さえ具の上端が基板の下面に接触しないようにしてもよい。また、基板はフォークリフトで搬送されるもののほか、ローラコンベアやベルトコンベアなどで搬送されるものであってもよい。
【符号の説明】
【００２４】
１  基板
２  主支持台
３  副支持台
４  押さえ具
１１  柱
【図１】
2012197114.tif 000003
【図２】
2012197114.tif 000004
【図３】
2012197114.tif 000005
【図４】
2012197114.tif 000006
【図５】
2012197114.tif 000007
【図６】
2012197114.tif 000008
【図７】
2012197114.tif 000009
【図８】
2012197114.tif 000010
【手続補正書】
【提出日】平成24年6月11日(2012.6.11)
【手続補正１】
【補正対象書類名】特許請求の範囲
【補正対象項目名】全文
【補正方法】変更
【補正の内容】
【特許請求の範囲】
【請求項１】
基板と、主支持台と、副支持台と、押さえ具とを備え、主支持台は、基板上に設けてあって、積載物を載置するものであり、副支持台は、主支持台よりも大きく、主支持台の四周を囲み上側から主支持台を覆うもので、高さが主支持台の高さより高く、基板上に着脱自在であって、積載物を載置するものであり、押さえ具は、副支持台の取外時には主支持台の周囲に取り付け、副支持台の取付時には副支持台の周囲に取り付けるもので、積載物を水平方向から支持するものであることを特徴とする搬送パレット。
【請求項２】
基板と、主支持台と、副支持台と、押さえ具とを備え、主支持台は、基板上に設けてあって、積載物を載置するものであり、副支持台は、主支持台よりも大きく、主支持台の四周を囲むもので、高さが主支持台の高さと同じであり、基板上に着脱自在であって、積載物を載置するものであり、押さえ具は、副支持台の取外時には主支持台の周囲の基板上又は主支持台の側面に取り付け、副支持台の取付時には副支持台の周囲の基板上又は副支持台の側面に取り付けるもので、積載物を水平方向から支持するものであることを特徴とする搬送パレット。
【請求項３】
主支持台及び副支持台の側面には、水平方向に沿って係合溝が形成してあり、押さえ具は、副支持台の取外時には主支持台の側面の係合溝に係合させて取り付け、副支持台の取付時には副支持台の側面の係合溝に係合させて取り付けるものであることを特徴とする請求項１又は２記載の搬送パレット。
【請求項４】
押さえ具の形状がすべて同一であることを特徴とする請求項１、２又は３記載の搬送パレット。
【手続補正２】
【補正対象書類名】明細書
【補正対象項目名】０００６
【補正方法】変更
【補正の内容】
【０００６】
本発明のうち請求項１の発明は、基板と、主支持台と、副支持台と、押さえ具とを備え、主支持台は、基板上に設けてあって、積載物を載置するものであり、副支持台は、主支持台よりも大きく、主支持台の四周を囲み上側から主支持台を覆うもので、高さが主支持台の高さより高く、基板上に着脱自在であって、積載物を載置するものであり、押さえ具は、副支持台の取外時には主支持台の周囲に取り付け、副支持台の取付時には副支持台の周囲に取り付けるもので、積載物を水平方向から支持するものであることを特徴とする。なお、押さえ具を主支持台又は副支持台の周囲に取り付ける、とは、主支持台又は副支持台の周縁部に取り付ける場合と、主支持台又は副支持台の周辺の基板上に取り付ける場合の両方を含む。
【手続補正３】
【補正対象書類名】明細書
【補正対象項目名】０００７
【補正方法】変更
【補正の内容】
【０００７】
本発明のうち請求項２の発明は、基板と、主支持台と、副支持台と、押さえ具とを備え、主支持台は、基板上に設けてあって、積載物を載置するものであり、副支持台は、主支持台よりも大きく、主支持台の四周を囲むもので、高さが主支持台の高さと同じであり、基板上に着脱自在であって、積載物を載置するものであり、押さえ具は、副支持台の取外時には主支持台の周囲の基板上又は主支持台の側面に取り付け、副支持台の取付時には副支持台の周囲の基板上又は副支持台の側面に取り付けるもので、積載物を水平方向から支持するものであることを特徴とする。
【手続補正４】
【補正対象書類名】明細書
【補正対象項目名】０００８
【補正方法】変更
【補正の内容】
【０００８】
本発明のうち請求項３の発明は、主支持台及び副支持台の側面には、水平方向に沿って係合溝が形成してあり、押さえ具は、副支持台の取外時には主支持台の側面の係合溝に係合させて取り付け、副支持台の取付時には副支持台の側面の係合溝に係合させて取り付けるものであることを特徴とする。
【手続補正５】
【補正対象書類名】明細書
【補正対象項目名】０００９
【補正方法】変更
【補正の内容】
【０００９】
本発明のうち請求項４の発明は、押さえ具の形状がすべて同一であることを特徴とする。
【手続補正６】
【補正対象書類名】明細書
【補正対象項目名】００１０
【補正方法】変更
【補正の内容】
【００１０】
本発明のうち請求項１の発明によれば、主支持台の周囲に押さえ具を取り付けて使用する場合（小さいパネルに対応）と、主支持台を囲む副支持台を取り付け、副支持台の周囲に押さえ具を取り付けて使用する場合（大きいパネルに対応）とで、大きさの異なるパネルに対応することができる。一枚の基板を共通して使用するから、費用が抑えられ、また保管場所も広い空間が必要ない。そして、副支持台は主支持台を覆って取り付けるものであって、上面を面一に形成できるから、その上にパネルを載置した際に、パネルを損傷することがない。
【手続補正７】
【補正対象書類名】明細書
【補正対象項目名】００１１
【補正方法】変更
【補正の内容】
【００１１】
本発明のうち請求項２の発明によれば、主支持台の周囲に押さえ具を取り付けて使用する場合（小さいパネルに対応）と、主支持台を囲む副支持台を取り付け、副支持台の周囲に押さえ具を取り付けて使用する場合（大きいパネルに対応）とで、大きさの異なるパネルに対応することができる。一枚の基板を共通して使用するから、費用が抑えられ、また保管場所も広い空間が必要ない。そして、主支持台の高さと副支持台の高さが同じなので、その上にパネルを載置した際に、パネルを損傷しにくい。
【手続補正８】
【補正対象書類名】明細書
【補正対象項目名】００１２
【補正方法】変更
【補正の内容】
【００１２】
本発明のうち請求項３の発明によれば、押さえ具の固定箇所が、押さえ具に対してパネルの荷重がかかる箇所に近くなるので、より強固な構造となる。また、押さえ具を副支持台に取り付けることにより、副支持台を基板と略同じ大きさにまで拡大できる。
【手続補正９】
【補正対象書類名】明細書
【補正対象項目名】００１３
【補正方法】変更
【補正の内容】
【００１３】
本発明のうち請求項４の発明によれば、各部に取り付ける押さえ具の形状を同一にしたので、押さえ具が一種類で済む。